(57)【要約】【課題】トイレを掃除が容易で衛生的にし、要介護者がさらに安心して排泄することができるとともに、要介護者と介護者の双方の負担を軽減する。【解決手段】自立排泄ベッド１０は、昇降自在で孔１１ａを設けた床Ｆに対して水平な床枠１１と、床枠１１に敷設した上方に起立可能な背もたれマット１４と、切欠き１５ａを設けた固定マット１５と、切欠き１５ａに対応して床枠１１に敷設する擦動マット１６、下半身マット１７、足元マット１８とを備えている。【選択図】図２
2013215537.tif 000002
【特許請求の範囲】
【請求項１】
昇降自在で孔を設けた床枠と、該床枠に敷設した上方に起立可能な背もたれマットと、前記床枠に敷設した切欠きを設けた固定マットと、前記切欠きに対応して前記床枠に敷設する擦動マット、下半身マット、足元マットと、前記擦動マットの下部に、移動自在な台車に搭載された要介護者の臀部を入り込ませるような大きさの凹形の便座を設けている補高便座便器とを備えてなり、前記床枠が下降すると、前記背もたれマットが起立して、前記擦動マットが後方に移動して前記下半身マットの上に重なり、前記補高便座便器の前記便座は、前記床枠の孔と前記擦動マットに対応する前記切欠きとをとおり、前記切欠きにあらわれ、要介護者の臀部を入り込ませるとともに、前記補高便座便器は、伸縮自在な蛇腹配管を排泄物を流す汚水排水管と接続しており、使用後に前記床枠を上昇させて外部へ取り出せることを特徴とする自立排泄ベッド。
【請求項２】
前記台車は、球形のキャスターを取り付け、床には、前記キャスターの接地部分の断面形状に対応する断面形状の雌形を形成することを特徴とする請求項１記載の自立排泄ベッド。
【請求項３】
前記補高便座便器は、上部に取り付けられている脱着自在な伸縮ネットと、下部に取り付けられている脱着自在な撓みネットと、前記伸縮ネットの中央部の開口部と前記撓みネットの中央部の開口部とに脱着自在にセットされる排泄物誘導管とを備え、前記伸縮ネットは、要介護者の臀部の荷重によって前記伸縮ネットの前記開口部が拡大し、前記排泄物誘導管は、排泄物を前記蛇腹配管に誘導し、前記補高便座便器は、前記台車から取り外して洗浄することができ、前記伸縮ネットと前記撓みネットと前記排泄物誘導管とは、前記補高便座便器から取り外して洗浄できることを特徴とする請求項１または請求項２に記載の自立排泄ベッド。
【請求項４】
前記排泄物誘導管は、内部に畜便袋をセットすることによって、前記畜便袋に収容した排泄物を外部に出すことを特徴とする請求項１ないし請求項３のいずれか一項に記載の自立排泄ベッド。
【請求項５】
前記背もたれマットは、起立とともに、要介護者の胸部の周りに半円弧上の一対の手すりが出ることを特徴とする請求項１ないし請求項４のいずれか一項に記載の自立排泄ベッド。
【請求項６】
前記便座は、要介護者が臀部の荷重をかけると、周囲に貼り付けられた粘着剤を塗布した両面テープと、介護用衣服の臀部に設けられた裂け目をおおう重なりに貼り付けられた両面テープとが擦動して、前記裂け目を開き、臀部の荷重を離すと前記裂け目を閉じ重なりでおおうことを特徴とする請求項１ないし請求項５のいずれか一項に記載の自立排泄ベッド。
【請求項７】
前記床枠の両側の側面に前後方向に左右対称に取り付けられた支柱と、前後方向の前記支柱間を結ぶ部材と、左右方向の前記支柱間を結ぶ紐とを備えてなり、前記支柱は、前記床枠の下降とともに撓んでいた前記紐を張って、紐の上に載せて撓んでいた布団を上へ持ち上げることを特徴とする請求項１ないし請求項６のいずれか一項に記載の自立排泄ベッド。
【発明の詳細な説明】
【技術分野】
【０００１】  この発明は、介護者の介助を受けなくても、介護を要する者（以下要介護者という）が自立して排泄するために有用な自立排泄ベッドに関する。
【背景技術】
【０００２】  介護の現場では、体を自由に動かせることができない寝たきりの高齢者や病人の排泄は、ベッドからの乗り降りを要すること、排泄が汚れや悪臭を伴い、処理を間違うと環境を劣化させるため、要介護者にとっても介護者にとっても、お互いに重い負担となっている。出願人は、介護の現場に立ち会うことによって、かかる負担を軽減するため、ベッドから降りなくても排便を可能にするという特開２００９−２２５８８２の介護用ベッド装置を発明した。かかる介護用ベッドは、床枠に敷設するマットが上半身部と臀部と下半身部とに三つに分割され、要介護者は、自分の意思でスイッチ操作することによって、介護者の補助を必要とすることなく、起立する上半身部に上半身を保持され、水平移動する臀部に対応するマットの下部にある便器に臀部を載せ、起立する下半身部のマットに下半身を保持されるため、安心して排泄することができるようになったとともに、介護者の負担を軽減することに大きく貢献した。
【先行技術文献】
【特許文献】
【０００３】
【特許文献１】特開２００９−２２５８８２号公報
【発明の概要】
【発明が解決しようとする課題】
【０００４】  かかる従来技術によるときは、介護者が生活するベッド下部に固定して設置されている便器を清掃することは、要介護者を移動させたり、または、ベッドを移動させるといった作業を必要とするために、人手がかかったり、自由なタイミングでできないため非常に困難であり、介護者がベッドまわりの環境を清潔に保つことに対して大きな負担を要していたという問題があった。また、同時に、要介護者があまり清潔といえない排泄物の排水管に直接に接続されている便器の上方という環境で生活せざるを得なく、やはり負担となっていたという問題があった。【０００５】  そこで、この発明の目的は、かかる従来技術の問題に鑑み、トイレを掃除が容易で衛生的にすることによって、要介護者が気持ちよく生活することができる清潔な環境と、要介護者と介護者との双方の負担を軽減するために、要介護者が介護者の補助がなくても自立して排泄することができる自立排泄ベッドを提供することにある。
【課題を解決するための手段】
【０００６】  かかる目的を達成するためのこの出願に係る第１発明（請求項１に係る発明をいう、以下同じ）の構成は、昇降自在で孔を設けた床枠と、床枠に敷設した上方に起立可能な背もたれマットと、床枠に敷設した切欠きを設けた固定マットと、切欠きに対応して床枠に敷設する擦動マット、下半身マット、足元マットと、擦動マットの下部に、移動自在な台車に搭載された要介護者の臀部を入り込ませるような大きさの凹形の便座を設けている補高便座便器とを備えてなり、床枠が下降すると、背もたれマットが起立して、擦動マットが後方に移動して下半身マットの上に重なり、補高便座便器の便座は、床枠の孔と擦動マットに対応する切欠きとをとおり、切欠きにあらわれ、要介護者の臀部を入り込ませるとともに、補高便座便器は、排泄物を流す汚水排水管と接続する伸縮自在な蛇腹配管が取り付けられており、使用後に床枠を上昇させて外部へ取り出せることをその要旨とする。【０００７】  なお、台車は、球形のキャスターを取り付け、床には、キャスターの接地部分の断面形状に対応する断面形状の雌形を形成することができる。【０００８】  なお、補高便座便器は、上部に取り付けられている脱着自在な伸縮ネットと、下部に取り付けられている脱着自在な撓みネットと、伸縮ネットの中央部の開口部と撓みネットの中央部の開口部とに脱着自在にセットされる排泄物誘導管とを備え、伸縮ネットは、要介護者の臀部の荷重によって伸縮ネットの開口部が拡大し、排泄物誘導管は、排泄物を蛇腹配管に誘導し、補高便座便器は、台車から取り外して洗浄することができ、伸縮ネットと撓みネットと排泄物誘導管とは、補高便座便器から取り外して洗浄することができる。【０００９】  排泄物誘導管は、内部に畜便袋をセットすることによって、畜便袋に収容した排泄物を外部に出してもよい。【００１０】  また、背もたれマットは、起立とともに、要介護者の胸部の周りに円弧上の手すりが出てもよい。【００１１】  なお、便座は、要介護者が臀部の荷重をかけると、周囲に貼り付けられた粘着剤を塗布した両面テープと、介護用衣服の臀部に設けられた裂け目をおおう重なりに貼り付けられた両面テープとが擦動して、裂け目を開き、臀部の荷重を離すと裂け目を閉じ重なりでおおうことができる。【００１２】  ここで、床枠の両側の側面に前後方向に左右対称に取り付けられた支柱と、前後方向の支柱間を結ぶ部材と、左右方向の支柱間を結ぶ紐とを備えてなり、支柱は、床枠の下降とともに撓んでいた紐を張って、紐の上に載せて撓んでいた布団を上へ持ち上げることができる。
【発明の効果】
【００１３】  かかる第１発明の構成によるときは、要介護者がスイッチ操作をすると、自立排泄ベッドは、自動的に、床枠が下降し、背もたれマットの起立傾斜とともに、擦動マットが後方に移動して下半身マットの上に重なり、床枠の孔と固定マットの切欠きとをとおって凹形の便座が要介護者の臀部の下にあらわれる。要介護者は、背もたれマットに上半身を起き上がらせることができ、介護者の補助がなくても、臀部を便座に容易に入り込ませることができる。また、排泄物は、水で流すことによって、蛇腹配管を介して、ベッドから離れて設置されている汚水排水管へ送ることができるため、要介護者の生活環境を清潔に改善することができる。同時に、補高便座便器は、床枠を上昇させれば、移動自在な台車に搭載されているため、床枠の下から容易に取り出すことができる構造となっている。したがって、介護者は、要介護者が生活する部屋と別の場所で、要介護者の生活を妨げることなく、補高便座便器を自由なタイミングで清掃することができるため、清潔な環境を維持することができ、負担を軽減することができる。【００１４】  補高便座便器を搭載して支点の無い球形のキャスターを取り付けた台車は、床に形成されたキャスターの接地部分の断面形状に対応する雌形に自在に出し入れができるので、雌形を引き出し方向から自立排泄ベッドの所定の位置まで形成しておけば、キャスターを雌形にはめ合わせることによって、自立排泄ベッドの所定の位置まで正確に移動させることができ、また、雌形から離すことによって、自由に移動することができる。【００１５】  要介護者は、臀部を自立排泄ベッドで伸縮ネットに載せると荷重によって、伸縮ネットの中央部の開口部が拡大するため、排泄に適した姿勢になる。また、伸縮ネットの開口部に取り付けられた弾性体の排泄物誘導管は、伸縮ネットと撓みネットとに上下を支持されて取り付けられており、排泄物を外部へ流す汚水排水配管に接続されている蛇腹配管に直接入り込ませるようにセットできるため、排泄物で便器を必要以上に汚すこともなく補高便座便器から、確実に、蛇腹配管へ移送することができる。なお、伸縮ネットは、大きさをたとえば、大中小と準備しておけば、要介護者の体格に合わせることができ、要介護者を安定した姿勢にすることができる。また、補高便座便器は、全てが脱着自在となっているため、要介護者が排泄を終えたならば、ベッドから取り出して台車から取り外した補高便座便器と、補高便座便器から取り外した伸縮ネット、撓みネット、排泄物誘導管とを個別に洗浄することができるため、補高便座便器全体を清潔に維持することができる。【００１６】  介護者は、必要な場合には、ビニール袋を畜便袋として排泄物誘導管にセットすることにより、畜便袋に収容した排泄物を外部に出すことができるため、負担を軽減することができる。【００１７】  要介護者は、自立排泄ベッドで背もたれマットの起立とともに、胸部の周りに出てくる半円弧上の一対の手すりに寄りかかれることができ、床枠の左右方向に支持されるため、排泄時に安定した姿勢が取れるとともに、介護者が安全に自立して排泄することができる。【００１８】  要介護者は、自立排泄ベッドで臀部に設けた重なりのある裂け目を有する介護服を使用し、あらかじめ両面テープを裂け目と便座に貼り付けしておけば、臀部を擦動マットから便座に移動するにつれて、介護服の臀部の裂け目が開くことによって、そのまま排泄することができ、排泄を終了後に、便座から擦動マットに移動すると、重なりが裂け目を閉じて快適に過ごすことができる。【００１９】  要介護者は、自立排泄ベッドで横たわっている姿勢の場合には、床枠の両側の側面に前後方向に左右対称に取り付けられた支柱と、前後方向の支柱間を結ぶ部材と、左右方向の支柱間を結ぶ紐とによって支えられている布団にくるまれることができ、排泄時には、床枠の下降とともに、撓んでいた紐が張るという仕掛けをしておくことによって、背もたれマット、擦動マット、下半身部用マットと布団との間に隙間を設けることができるため、布団を汚す可能性を削減することができるとともに、下半身を隠すことができ羞恥心を減少させることができる。
【図面の簡単な説明】
【００２０】
【図１】全体構成図
【図２】全体構成図
【図３】要部構成図
【図４】要部構成図
【図５】要部説明図
【発明を実施するための形態】
【００２１】  以下、図面を以って発明の実施の形態を説明する。
【００２２】  自立排泄ベッド１０は、昇降自在で孔１１ａを設けた床Ｆに対して水平な床枠１１と、床枠１１に敷設した上方に起立可能な背もたれマット１４と、切欠き１５ａを設けた固定マット１５と、切欠き１５ａに対応して床枠１１に敷設する擦動マット１６、下半身マット１７、足元マット１８とを備えている（図１、図２）。なお、床枠１１は、床Ｆに接地している前板１２と後板１３に前後を支持されており、背もたれマット１４、擦動マット１６、下半身マット１７、足元マット１８は、要介護者Ｂのそれぞれ上半身、臀部、下半身、足元に対応して水平に設置されている。なお、図１は、要介護者が自立排泄ベッド１０に横たわっている姿勢を示し、図２は、要介護者が排泄している姿勢を示している。また、図１と図２の（Ａ）は、平面図を示しており、図１と図２の（Ｂ）は、側面図を示している。
【００２３】  床枠１１は、図示しない駆動源によって、前板１２と後板１３とに相対的に昇降自在となっている。また、背もたれマット１４は、図示しない駆動源によって、床枠１１に要介護者Ｂを支える傾斜位置まで起立可能となっている。同時に、擦動マット１６は、図示しない駆動源によって、後方に移動して下半身マット１７の上に重なるようになっている。
【００２４】  自立排泄ベッド１０は、擦動マット１６の下部に、移動自在な台車２２に搭載された要介護者Ｂの臀部を入り込ませるような大きさの凹形の便座２１を設けている補高便座便器２０を備えている。
【００２５】  要介護者は、排泄をするときにスイッチ操作をすれば、自動的に、図示しない駆動源によって、床枠１１が下降し、背もたれマット１４が起立して、補高便座便器２０が床枠１１の孔１１ａと、床枠１１の孔１１ａと擦動マット１６に対応する切欠１５ａとをとおり、切欠き１５ａにあらわれ、擦動マット１６が後方に移動して下半身マット１７の上に重なることによって、便座２１の前側が固定マット１５の上面の高さ近くとなり、便座２１の後側が移動した擦動マット１６の上面の高さ近くとなるため、背中を背もたれマット１４に支えられ、臀部を便座２１に容易に入り込ませることができる。なお、孔１１ａは、便座２１の形状に対応した形状となっている。ただし、前記図示しない駆動源は、電動モータ、空圧シリンダ、油圧シリンダなどを使用することができる。床枠１１の昇降と、背もたれマット１４の起立と、擦動マット１６の後方への移動とは、同一のタイミングで動作すればよく、同一の駆動源とすることができるが、個別の駆動源としてもよい。
【００２６】  移動自在な台車２２に搭載された補高便座便器２０は、擦動マット１６の下部に設置されており、伸縮自在な蛇腹配管２３をベッドから離れた場所にある床Ｆに設置されている排泄物Ｋを流す汚水排水管Ｐに接続されているため（図３（Ａ））、使用後に床枠１１を上昇させて外部へ取り出せるようになっている（図１（Ｂ））。
【００２７】  台車２２は、球形のキャスター２２ａ、２２ａ…を取り付け、床Ｆには、キャスター２２ａ、２２ａ…の接地部分の断面形状２２ａ１に対応する断面形状の雌形２２ａ２を補高便座便器２０の引き出し方向に形成している（図３（Ａ））。球形のキャスター２２ａ、２２ａ…は、球体に対応した内面の形状を球形としているカバー２２ａ３、２２ａ３、…で約半分ほどが覆われており、カバー２２ａ３、２２ａ３、…のなかで支点の無い軸受が形成されている。なお、図３（Ａ）のカバー２２ａ３、２２ａ３、…は、三次元的に球形のキャスター２２ａ、２２ａ…を覆っていることを例示的に示している。また、台車２２は、補高便座便器２０に代えて市販されている図示しないポータブルトイレを載せて使用することができる。また、床Ｆには、補高便座便器２０を自立排泄ベッド１０に対して所定の位置に固定するためキャスター２２ａ、２２ａ…に対するストッパーＳ、Ｓ…を設けることができる。なお、汚水配水管Ｐは、蛇腹配管２３と接続しない時にふたＰ１でふさげばよい（図３（Ｂ））。
【００２８】  補高便座便器２０は、上部に取り付けられている脱着自在な伸縮ネット２４ａと、下部に取り付けられている脱着自在な撓みネット２４ｂと、伸縮ネット２４ａの中央部の開口部２４ａ１と撓みネット２４ｂの中央部の開口部２４ｂ１とに脱着自在にセットされる排泄物誘導管２５とを備えており、台車２２から取り外して洗浄することができる。また、伸縮ネット２４ａと撓みネット２４ｂと排泄物誘導管２５とは、補高便座便器２０から取り外して洗浄できる。便座２１に設けられている座面２１ａにセットする伸縮ネット２４ａは、外周の目皿２４ａ２と中央部の開口部２４ａ１とを角を有していない、たとえば、丸い断面形状を有するゴム２４ａ３で格子状に形成すれば、弾力性に優れるため、要介護者Ｂの臀部の荷重によって開口部２４ａ１が拡大して臀部を柔らかく受け止めて臀部を洗浄しやすくし、同時に、伸縮ネット２４ａ自体の洗浄も容易となる（図３（Ｃ））。また、便座２１の下部にある座面２６にセットする撓みネット２４ｂも伸縮ネット２４ａと同様な構造にすることができる。弾性体で形成されている排泄物誘導管２５は、開口部２４ａ１と開口部２４ｂ１とに上下を支持されて補高便座便器２０から台車２２を貫通して外部に接続口を形成しているホース口２２ｂに差し込むことによって、排泄物Ｋを蛇腹配管２３に誘導することができる。なお、伸縮ネット２４ａと撓みネット２４ｂと排泄物誘導管２５とは、両面テープ２７で容易に貼り付けて固定ができる（図３（Ａ））。
【００２９】  排泄物誘導管２５は、内部にビニール袋を畜便袋２８としてセットすることによって、畜便袋２５に収容した排泄物Ｋを外部に出すことができる。なお、畜便袋２８は、排泄物誘導管２５に両面テープ２７を貼り付けて使用することができる（図３（Ａ））。
【００３０】  自立排泄ベッド１０は、背もたれマット１４の起立とともに、要介護者Ｂの胸部の周りに左右方向から出る半円弧上の一対の手すり３１、３１を設けることができる（図４（Ａ）、（Ｂ））。手すり３１、３１は、対応する円弧上のパイプが軸受３２として背もたれマット１４に埋め込まれており、背もたれマット１４が起立するときに、軸受３２が臀部用マット１５の方向に斜め下向きとなっているため、背もたれマット１４の起立に従って自重によって落下して出てくる。手すり３１、３１は、一方の先端に雄形のピン３１ａが固定されており、他方には、対応する穴３１ｂが開いており、手すり３１、３１が出ることによって、ピン３１ａが手すり３１、３１の隙間をふさぐようになっている。なお、手すり３１、３１は、軸受３２の内部に設けられている図示しないベアリングによって滑らかに動くことができるようになっている。また、手すり３１、３１は、背もたれマット１４が水平になるに従い自重によって、軸受３２の中に没するようになっている。なお、図２（Ｂ）は、図２（Ａ）のＡ−Ａ矢視図である。
【００３１】  便座２１は、要介護者Ｂが臀部の荷重をかけると、周囲に貼り付けられた粘着剤を塗布した両面テープ５１と、介護用衣服５０の臀部に設けられた裂け目５２をおおう重なり５３に貼り付けられた両面テープ５１とが擦動して、裂け目５２を開き、臀部の荷重を離すと裂け目５２を閉じ重なりでおおうことができる（図４（Ｃ））。なお、図４（Ｃ）は、要介護者Ｂが身に着けている介護服５０の臀部に設けられている重なり５３と裂け目５２とを示している。また、左側は、重なり５３が裂け目５２をおおう状態を示しており、右側は、裂け目５２が開いている状態を示している。また、裂け目５２は、上下方向に設けてもよいし、左右方向に設けてもよい。
【００３２】  自立排泄ベッド１０は、床枠１１の両側の側面の前後方向に左右対称に取り付けられた支柱４１、４１、…と、前後方向の支柱４１、４１、…の間を結ぶ部材４２、４２…と、左右方向の支柱４１、４１の間を結ぶ紐４３、４３、…とを備えてなり、支柱４１、４１、…は、床枠１１の下降とともに撓んでいた紐４３、４３、…を張って、紐４３、４３、…の上に載せて撓んでいた布団Ｃを上へ持ち上げることができる（図５）。支柱４１、４１、…は、床Ｆに左右対称的に垂直に自立しており、一端が床枠１１の側部に固定されている軸受４４、４４、…を床枠１１の昇降とともに、同時に、昇降させるようになっている。各紐４３は、左右方向に対称となっている床枠１１の側部に固定されている滑車４４ａ、４４ａを介して各端部が各軸受４４に固定されており、滑車４４ａ、４４ａの内側の両端部に設けてある錘４３ａ、４３ａによって、各錘４３ａが各滑車４４ａと各軸受４４との間を張ることによって、床枠１１の上昇時に床枠１１上に撓んだ状態となり、床枠１１の下降とともに張られた状態となる。布団Ｃは、部材４２、４２…と紐４３、４３、…の上に載せられ、床枠１１の上昇時に撓んだ状態となり、床枠１１の下降とともに張られた紐４３、４３、…の上に載った状態となるため、固定マット１５との間で隙間を設けることができる。なお、錘４３ａ、４３ａは、一例に過ぎず、たとえば、スプリングを使用してもよく、滑車４４ａ、４４ａの代わりに固定ガイドにしてもよい。
【産業上の利用可能性】
【００３３】  本発明は、トイレを掃除が容易で衛生的にすることによって、要介護者が生活する環境を清潔にするとともに、要介護者と介護者の双方の負担を軽減する自立排泄ベッドに関するものであり、産業上の利用可能性を有する。
【符号の説明】
【００３４】Ｂ…要介護者
Ｃ…布団
Ｋ…排泄物
Ｐ…汚水排水管
１０…自立排泄ベッド
１１…床枠
１１ａ…孔
１４…背もたれマット
１５…固定マット
１５ａ…切欠き
１６…擦動マット
１７…下半身マット
１８…足元マット
２０…補高便座便器
２１…便座
２２…台車
２２…キャスター
２２ａ１…断面形状
２２ａ２…雌形
２３…蛇腹配管
２４ａ…伸縮ネット
２４ｂ…撓みネット
２４ａ１…伸縮ネットの開口部
２４ｂ１…撓みネットの開口部
２５…排泄物誘導管
２８…畜便袋
３１…手すり
４１…支柱
４２…部材
４３…紐
５０…介護用衣服
５１…両面テープ
５２…裂け目
５３…重なり
【図１】
2013215537.tif 000003
【図２】
2013215537.tif 000004
【図３】
2013215537.tif 000005
【図４】
2013215537.tif 000006
【図５】
2013215537.tif 000007